【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
ネットワーク上の情報処理装置に該ネットワークを介して接続され、該情報処理装置からユーザが要求した情報を探し出すためのネットワーク情報探索装置において、
前記ユーザが要求した情報を抽出するための抽出条件を含む設定情報を蓄積する蓄積手段と、
前記蓄積手段に蓄積されている設定情報に基づいて、前記ネットワーク上の情報処理装置から情報を収集する情報収集手段と、
前記情報収集手段で収集した情報を保持する情報保持手段と、
前記蓄積手段に蓄積されている設定情報に含まれる抽出条件に基づいて、前記情報保持手段に保持された情報の中から前記ユーザが要求した情報に該当する情報を抽出する抽出手段と、
前記抽出手段で抽出された情報を出力する出力手段と
を備えることを特徴とするネットワーク情報探索装置。
【請求項２】
ネットワーク上の情報処理装置に該ネットワークを介して接続され、該情報処理装置からユーザが要求した情報を探し出すためのネットワーク情報探索装置において、
ネットワーク上の情報処理装置から情報を収集する情報収集手段と、
前記情報収集手段で収集した情報を保持する情報保持手段と、
データタイプを含む抽出条件に基づいて、前記情報保持手段に保持された情報の中から前記ユーザが要求した情報に該当する情報を抽出する抽出手段と、
前記抽出手段で抽出された情報を出力する出力手段と
を備えることを特徴とするネットワーク情報探索装置。
【請求項３】
ネットワーク上の情報処理装置に該ネットワークを介して接続され、該情報処理装置からユーザが要求した情報を探し出すためのネットワーク情報探索装置において、
前記ユーザが要求した情報に対し優先的にたどる指向性をもって、ネットワーク上の情報処理装置から情報を収集する情報収集手段と、
前記情報収集手段で収集した情報を保持する情報保持手段と、
前記情報保持手段に保持された情報の中から前記ユーザが要求した情報に該当する情報を抽出する抽出手段と、
前記抽出手段で抽出された情報を出力する出力手段と
を備えることを特徴とするネットワーク情報探索装置。
【請求項４】
前記ユーザが設定した起動時間に前記情報収集手段を起動するためのタイマ起動手段を備えることを特徴とする請求項１乃至３記載のネットワーク情報探索装置。
【請求項５】
前記情報収集手段は、前記情報処理装置の中の前記ユーザに対し接続が許可されている情報処理装置のアドレスを検知する検知手段を有することを特徴とする請求項１乃至３記載のネットワーク情報探索装置。
【請求項６】
前記情報処理装置はWorld Wide Webサーバプログラム、ファイルサーバシステムのためのファイルサーバプログラムなどの情報管理プログラムを実行することによってWorld Wide Webシステムを構築していることを特徴とする請求項１乃至３記載のネットワーク情報探索装置。
【請求項７】
前記情報収集手段は、前記ユーザが要求した情報に対し優先的にたどる指向性をもって前記情報処理装置が保持する情報を収集することを特徴とする請求項１又は２記載のネットワーク情報探索装置。
【請求項８】
前記抽出手段は、前記ユーザが要求した情報が画像データであるときには、前記情報保持手段に保持された情報の中から画像データを抽出するとともに該抽出した画像データの特徴を抽出し、該抽出した画像データと前記ユーザが要求した画像データの特徴とを比較し、該比較の結果に応じて前記ユーザが要求した画像データに該当する画像データを抽出することを特徴とする請求項１乃至３記載のネットワーク情報探索装置。
【請求項９】
前記抽出手段は、前記情報保持手段に保持された情報のデータタイプを解析し、該解析の結果と前記ユーザが要求した情報のデータタイプとを比較し、該比較の結果に応じて前記ユーザが要求した情報に該当する情報を抽出することを特徴とする請求項１乃至３記載のネットワーク情報探索装置。
【請求項１０】
前記抽出手段は、前記情報保持手段に保持された情報のデータタイプを解析し、該解析の結果と前記ユーザが要求した情報のデータタイプとを比較し、該比較の結果に応じて前記ユーザが要求した情報のデータタイプに該当するデータタイプの情報を含む情報を抽出することを特徴とする請求項１乃至３記載のネットワーク情報探索装置。
【請求項１１】
前記抽出手段は、前記情報保持手段に保持された情報に対しそのテキスト部に含まれるキーワードおよび該キーワードの類似語または同義語による検索を行い、該検索により前記ユーザが要求した情報に該当する情報を抽出することを特徴とする請求項１乃至３記載のネットワーク情報探索装置。
【請求項１２】
前記抽出手段は、前記ユーザが要求した情報に該当する情報を抽出するとともに、該抽出した情報の抽出過程で関連付けられている情報のインデックスを作成し、前記出力手段は前記抽出手段で抽出された情報とともに前記作成されたインデックスを出力することを特徴とする請求項１乃至３記載のネットワーク情報探索装置。
【請求項１３】
前記出力手段は、前記ユーザの選択に応じて前記ユーザが所望する出力形態で前記抽出した情報を出力可能な装置に該抽出した情報を出力することを特徴とする請求項１乃至３記載のネットワーク情報探索装置。
【請求項１４】
ネットワーク上の情報処理装置に該ネットワークを介して接続され、該情報処理装置からユーザが要求した情報を探し出すためのネットワーク情報探索方法において、
蓄積手段に蓄積されている設定情報に基づいて、ネットワーク上の情報処理装置から情報を収集する情報収集工程と、
前記収集された情報を記憶手段に保持する情報保持工程と、
前記蓄積手段に蓄積されている設定情報に含まれる抽出条件に基づいて、前記情報保持手段に保持された情報の中から前記ユーザが要求した情報に該当する情報を抽出する抽出工程と、
前記抽出された情報を出力する出力工程と
を含むことを特徴とするネットワーク情報探索方法。
【請求項１５】
ネットワーク上の情報処理装置に該ネットワークを介して接続され、該情報処理装置からユーザが要求した情報を探し出すためのネットワーク情報探索方法において、
ネットワーク上の情報処理装置から情報を収集する情報収集工程と、
前記収集された情報を記憶手段に保持する情報保持工程と、
前記記憶手段に保持された情報の中から、データタイプを含む抽出条件に基づいて、前記ユーザが要求した情報に該当する情報を抽出する抽出工程と、
前記抽出された情報を出力する出力工程と
を含むことを特徴とするネットワーク情報探索方法。
【請求項１６】
ネットワーク上の情報処理装置に該ネットワークを介して接続され、該情報処理装置からユーザが要求した情報を探し出すためのネットワーク情報探索方法において、
前記ユーザが要求した情報に対し、優先的にたどる指向性をもって、ネットワーク上の情報処理装置から情報を収集する情報収集工程と、
前記収集された情報を記憶手段に保持する情報保持工程と、
前記記憶手段に保持された情報の中から前記ユーザが要求した情報に該当する情報を抽出する抽出工程と、
前記抽出された情報を出力する出力工程と
を含むことを特徴とするネットワーク情報探索方法。
【請求項１７】
前記ユーザが設定した起動時間に前記情報処理装置が保持する情報の収集を開始するように指示する工程を含むことを特徴とする請求項１４乃至１６記載のネットワーク情報探索方法。
【請求項１８】
前記情報処理装置はWorld Wide Webサーバプログラム、ファイルサーバシステムのためのファイルサーバプログラムなどの情報管理プログラムを実行することによってWorld Wide Webシステムを構築していることを特徴とする請求項１４乃至１６記載のネットワーク情報探索方法。
【請求項１９】
前記情報収集工程は、前記ユーザが要求した情報に対し優先的にたどる指向性をもって前記情報処理装置が保持する情報を収集することを特徴とする請求項１４又は１５記載のネットワーク情報探索方法。
【請求項２０】
前記抽出工程は、前記ユーザが要求した情報が画像データであるときには、前記記憶手段に保持された情報の中から画像データを抽出するとともに該抽出した画像データの特徴を抽出し、該抽出した画像データと前記ユーザが要求した画像データの特徴とを比較し、該比較の結果に応じて前記ユーザが要求した画像データに該当する画像データを抽出することを特徴とする請求項１４乃至１６記載のネットワーク情報探索方法。
【請求項２１】
前記抽出工程は、前記記憶手段に保持された情報のデータタイプを解析し、該解析の結果と前記ユーザが要求した情報のデータタイプとを比較し、該比較の結果に応じて前記ユーザが要求した情報に該当する情報を抽出することを特徴とする請求項１４乃至１６記載のネットワーク情報探索方法。
【請求項２２】
前記抽出工程は、前記記憶手段に保持された情報のデータタイプを解析し、該解析の結果と前記ユーザが要求した情報のデータタイプとを比較し、該比較の結果に応じて前記ユーザが要求した情報のデータタイプに該当するデータタイプの情報を含む情報を抽出することを特徴とする請求項１４乃至１６記載のネットワーク情報探索方法。
【請求項２３】
前記抽出工程は、前記記憶手段に保持された情報に対しそのテキスト部に含まれるキーワードおよび該キーワードの類似語または同義語による検索を行い、該検索により前記ユーザが要求した情報に該当する情報を抽出することを特徴とする請求項１４乃至１６記載のネットワーク情報探索方法。
【請求項２４】
前記抽出工程は、前記ユーザが要求した情報に該当する情報を抽出するとともに、該抽出した情報の抽出過程で関連付けられている情報のインデックスを作成し、前記出力工程は、前記抽出工程で抽出された情報とともに前記作成されたインデックスを出力することを特徴とする請求項１４乃至１６記載のネットワーク情報探索方法。
【請求項２５】
前記出力工程は、前記ユーザの選択に応じて前記ユーザが所望する出力形態で前記抽出した情報を出力可能な装置に該抽出した情報を出力することを特徴とする請求項１４乃至１６記載のネットワーク情報探索方法。
【請求項２６】
ネットワーク上の情報処理装置に該ネットワークを介して接続され、該情報処理装置からユーザが要求した情報を探し出すためのネットワーク情報探索用プログラムを格納した記録媒体において、
前記ネットワーク情報探索プログラムは、
蓄積手段に蓄積されている登録された設定情報に基づき、ネットワーク上の情報処理装置から情報を収集する情報収集モジュールと、
前記収集された情報を記憶手段に保持する情報保持モジュールと、
前記蓄積手段に蓄積されている設定情報に含まれる抽出条件に基づいて、前記情報保持手段に保持された情報の中から前記ユーザが要求した情報に該当する情報を抽出する抽出モジュールと、
前記抽出された情報を出力する出力モジュールと
を含むことを特徴とする記憶媒体。
【請求項２７】
ネットワーク上の情報処理装置に該ネットワークを介して接続され、該情報処理装置からユーザが要求した情報を探し出すためのネットワーク情報探索用プログラムを格納した記録媒体において、
前記ネットワーク情報探索プログラムは、
ネットワーク上の情報処理装置から情報を収集する情報収集モジュールと、
前記収集された情報を記憶手段に保持する情報保持モジュールと、
前記記憶手段に保持された情報の中からデータタイプを含む抽出条件に基づいて前記ユーザが要求した情報に該当する情報を抽出する抽出モジュールと、
前記抽出された情報を出力する出力モジュールと
を含むことを特徴とする記憶媒体。
【請求項２８】
ネットワーク上の情報処理装置に該ネットワークを介して接続され、該情報処理装置からユーザが要求した情報を探し出すためのネットワーク情報探索用プログラムを格納した記録媒体において、
前記ネットワーク情報探索プログラムは、
前記ユーザが要求した情報に対し優先的にたどる指向性をもって、ネットワーク上の情報処理装置から情報を収集する情報収集モジュールと、
前記収集された情報を記憶手段に保持する情報保持モジュールと、
前記記憶手段に保持された情報の中から前記ユーザが要求した情報に該当する情報を抽出する抽出モジュールと、
前記抽出された情報を出力する出力モジュールと
を含むことを特徴とする記憶媒体。
【手続補正２】
【補正対象書類名】明細書
【補正対象項目名】０００１
【補正方法】変更
【補正の内容】
【０００１】
【発明の属する技術分野】
本発明は、ネットワーク上の情報処理装置に該ネットワークを介して接続され、該情報処理装置からユーザが要求した情報を探し出すためのネットワーク情報探索装置、その方法およびネットワーク情報探索用プログラムを格納した記録媒体に関する。
【手続補正３】
【補正対象書類名】明細書
【補正対象項目名】０００２
【補正方法】変更
【補正の内容】
【０００２】
【従来の技術】
ネットワーク上のコンピュータにより管理、保持されている情報の中からユーザ所望の情報を探し出す場合、ユーザのコンピュータからネットワークを介して該ネットワークに接続されているコンピュータ上で稼働しているサーバプログラムにアクセスし、このアクセス後に、サーバプログラムに対応した手順に従い情報を取得する操作と、取得した情報の内容を読み、この情報に必要とする情報が含まれているか否かを確認する操作とを行い、取得した情報に必要とする情報が含まれていなければ、次の情報を取得する操作を行うというように、必要とする情報またはその必要とする情報を含む情報を取得するまで、情報を取得する操作、取得した情報の内容を確認する操作を繰り返し行う必要がある。
【手続補正４】
【補正対象書類名】明細書
【補正対象項目名】０００３
【補正方法】変更
【補正の内容】
【０００３】
また、インターネットに接続されているコンピュータ上で稼働しているWorld Wide Webプログラムより構築されているＷＷＷシステムにより管理され、Uniform Resource Locator（以下、ＵＲＬという）により論理的にリンクされているページ構成の情報の中から必要な情報を探し出す場合、管理されているページ構成の情報の中の任意のページの内容を読み、そのページに必要とする情報がなければ、必要とする情報がありそうなＵＲＬにより関連付けられた文字または図形をマウスでクリックし、対応する次のページを表示し、このページの内容を読むという操作を繰り返し、必要とする情報を探し出す。
【手続補正５】
【補正対象書類名】明細書
【補正対象項目名】０００７
【補正方法】変更
【補正の内容】
【０００７】
本発明の目的は、ユーザに余分な手間および時間を掛けることなく、ネットワーク上の情報処理装置により管理、保持されている情報の中からユーザが要求する情報を探し出すことができるネットワーク情報探索装置、ネットワーク情報探索方法および記憶媒体を提供することにある。
【手続補正６】
【補正対象書類名】明細書
【補正対象項目名】０００８
【補正方法】変更
【補正の内容】
【０００８】
【課題を解決するための手段】
第一の発明は、ネットワーク上の情報処理装置に該ネットワークを介して接続され、該情報処理装置からユーザが要求した情報を探し出すためのネットワーク情報探索装置において、蓄積手段に蓄積されている設定情報に基づいて、ネットワーク上の情報処理装置から情報を収集し、前記収集した情報を記憶手段に保持し、前記蓄積手段に蓄積されている設定情報に含まれる抽出条件に基づいて、前記記憶手段に保持された情報の中から前記ユーザが要求した情報に該当する情報を抽出し、前記抽出された情報を出力することを特徴とする。
【手続補正７】
【補正対象書類名】明細書
【補正対象項目名】０００９
【補正方法】変更
【補正の内容】
【０００９】
第二の発明は、ネットワーク上の情報処理装置に該ネットワークを介して接続され、ユーザが要求した情報を探し出すためのネットワーク情報探索において、ネットワーク上の情報処理装置から情報を収集し、前記収集した情報を記憶手段に保持し、保持された情報の中からデータタイプを含む抽出条件に基づいて前記ユーザが要求した情報に該当する情報を抽出し、前記抽出された情報を出力することを特徴とする。
【手続補正８】
【補正対象書類名】明細書
【補正対象項目名】００１０
【補正方法】変更
【補正の内容】
【００１０】
第三の発明は、ネットワーク上の情報処理装置に該ネットワークを介して接続され、ユーザが要求した情報を探し出すためのネットワーク情報探索において、前記ユーザが要求した情報に対し優先的にたどる指向性をもって、ネットワーク上の情報処理装置から情報を収集し、前記収集した情報を記憶手段に保持し、保持された情報の中から前記ユーザが要求した情報に該当する情報を抽出し、前記抽出された情報を出力することを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００６６
【補正方法】変更
【補正の内容】
【００６６】
図９において、ページ１０１０１を根に、データをまとめて収集する階層を１とした場合、まず、ページ１０１０１の下の階層のページ１０１０２からページ１０１０４までのデータを収集し、抽出条件と合う度合いを数値化し、この合う度合いが最も高いページがページ１０１０３であるとすると、ページ１０１０３の下のページ１０１０６からページ１０１０８までのデータ収集を行い、同様の処理を繰り返す。抽出条件に合う度合いが高いページが、ページ１０１０６からページ１０１０８ではページ１０１０６、ページ１０２０２からページ１０２０４ではページ１０２０２であるとすると、収集されるページ１１１１１の範囲に含まれるページが収集される。
【手続補正３１】
【補正対象書類名】明細書
【補正対象項目名】００７４
【補正方法】変更
【補正の内容】
【００７４】
以上に説明したように第一の発明のネットワーク情報探索装置によれば、蓄積手段に蓄積されている設定情報に基づいて、ネットワーク上の情報処理装置から情報を収集し、前記収集した情報を記憶手段に保持し、前記蓄積手段に蓄積されている設定情報に含まれる抽出条件に基づいて、前記記憶手段に保持された情報の中から前記ユーザが要求した情報に該当する情報を抽出し、前記抽出された情報を出力するから、ユーザに余分な手間および時間を掛けることなく、ネットワーク上の情報処理装置の情報からユーザが要求する情報を探し出すことができる。
第二の発明のネットワーク情報探索装置によれば、ネットワーク上の情報処理装置から情報を収集し、前記収集した情報を記憶手段に保持し、前記記憶手段に保持された情報の中からデータタイプを含む抽出条件に基づいて前記ユーザが要求した情報に該当する情報を抽出し、前記抽出された情報を出力するから、ユーザに余分な手間および時間を掛けることなく、ネットワーク上の情報処理装置の情報からユーザが要求するデータタイプに応じた情報を探し出すことができる。
第三の発明のネットワーク情報探索装置によれば、前記ユーザが要求した情報に対し優先的にたどる指向性をもって、ネットワーク上の情報処理装置から情報を収集し、前記収集した情報を記憶手段に保持し、前記情報保持手段に保持された情報の中から前記ユーザが要求した情報に該当する情報を抽出し、前記抽出手段で抽出された情報を出力するから、ユーザに余分な手間および時間を掛けることなく、ネットワーク上の情報処理装置の情報からユーザが要求する情報に対し優先的にたどる指向性をもって情報を収集するようにすることができる。
【手続補正３２】
【補正対象書類名】明細書
【補正対象項目名】００７５
【補正方法】変更
【補正の内容】
【００７５】
また第一、第二、第三の発明は、更にユーザが設定した起動時間に情報処理装置が保持する情報の収集を開始するように指示することによって、ネットワークが空いている時間帯にデータの収集を自動的に行うことができ、通信時間の短縮を図るとともに、通信費を低減することも可能である。
【手続補正３３】
【補正対象書類名】明細書
【補正対象項目名】００７６
【補正方法】変更
【補正の内容】
【００７６】
また第一、第二、第三の発明は、更に情報収集する際に、各情報処理装置の中のユーザに対し接続が許可されている情報処理装置のアドレスを検知することによって、ネットワーク上の複数の情報処理装置の中から接続が許可されている情報処理装置への接続を容易に行うこともできる。
【手続補正３４】
【補正対象書類名】明細書
【補正対象項目名】００７７
【補正方法】変更
【補正の内容】
【００７７】
また第一、第二、第三の発明は、更に情報処理装置がWorld Wide WebシステムのためのWorld Wide Webサーバプログラム、ファイルサーバシステムのためのファイルサーバプログラムなどの情報管理プログラムを実行することによって構築されている。
【手続補正３５】
【補正対象書類名】明細書
【補正対象項目名】００７８
【補正方法】変更
【補正の内容】
【００７８】
また第一、第二の発明は、更に情報収集の際に、ユーザが要求した情報に対し優先的にたどる指向性をもって情報処理装置が保持する情報を収集するようにすることもできる。
【手続補正３６】
【補正対象書類名】明細書
【補正対象項目名】００７９
【補正方法】変更
【補正の内容】
【００７９】
また第一、第二、第三の発明は、更に抽出する際に、ユーザが要求した情報が画像データであるときには、保持された情報の中から画像データを抽出するとともに該抽出した画像データの特徴を抽出し、該抽出した画像データとユーザが要求した画像データの特徴とを比較し、該比較の結果に応じてユーザが要求した画像データに該当する画像データを抽出することによって、ユーザが要求した画像データに該当する画像データの抽出を適確に行うこともできる。
【手続補正３７】
【補正対象書類名】明細書
【補正対象項目名】００８０
【補正方法】変更
【補正の内容】
【００８０】
また第一、第二、第三の発明は、更に抽出する際に、保持された情報のデータタイプを解析し、該解析の結果とユーザが要求した情報のデータタイプとを比較し、該比較の結果に応じてユーザが要求した情報に該当する情報を抽出することによって、ユーザが要求したタイプの情報に該当する情報の抽出を適確に行うこともできる。
【手続補正３８】
【補正対象書類名】明細書
【補正対象項目名】００８１
【補正方法】変更
【補正の内容】
【００８１】
また第一、第二、第三の発明は、更に抽出する際に、保持された情報のデータタイプを解析し、該解析の結果とユーザが要求した情報のデータタイプとを比較し、該比較の結果に応じてユーザが要求した情報のデータタイプに該当するデータタイプの情報を含む情報を抽出するようにすることもできる。
【手続補正３９】
【補正対象書類名】明細書
【補正対象項目名】００８２
【補正方法】削除
【補正の内容】
【手続補正４０】
【補正対象書類名】明細書
【補正対象項目名】００８３
【補正方法】変更
【補正の内容】
【００８３】
また第一、第二、第三の発明は、更に抽出する際に、保持された情報に対しそのテキスト部に含まれるキーワードおよび該キーワードの類似語または同義語による検索を行い、該検索によってユーザが要求した情報に該当する情報を抽出するようにすることもできる。
【手続補正４１】
【補正対象書類名】明細書
【補正対象項目名】００８４
【補正方法】変更
【補正の内容】
【００８４】
また第一、第二、第三の発明は、更に抽出する際に、ユーザが要求した情報に該当する情報を抽出するとともに、該抽出した情報の抽出過程で関連付けられている情報のインデックスを作成し、出力する際に、抽出された情報とともに作成されたインデックスを出力するようにすることもできる。
【手続補正４２】
【補正対象書類名】明細書
【補正対象項目名】００８５
【補正方法】変更
【補正の内容】
【００８５】
また第一、第二、第三の発明は、更に出力する際に、ユーザの選択に応じて前記ユーザが所望する出力形態で抽出した情報を出力可能な装置に該抽出した情報を出力することによって、例えば、毎日見るページを朝の所定時間までに印刷出力するようにすること、または自分宛てのメールとして出力すること、所定の宛先のＦＡＸ装置に送信することなどを簡単に設定することができるとともに、ユーザの所望の出力形態で抽出した情報の確認を行うこともできる。
【手続補正４３】
【補正対象書類名】明細書
【補正対象項目名】００８６
【補正方法】変更
【補正の内容】
【００８６】
【発明の効果】
このように本発明によりユーザに余分な手間および時間を掛けることなく、ネットワーク上の情報処理装置により管理、保持されている情報の中からユーザが要求する情報を探し出すことができる。
【手続補正４４】
【補正対象書類名】明細書
【補正対象項目名】００８７
【補正方法】削除
【補正の内容】
【手続補正４５】
【補正対象書類名】明細書
【補正対象項目名】００８８
【補正方法】削除
【補正の内容】
【手続補正４６】
【補正対象書類名】明細書
【補正対象項目名】００８９
【補正方法】削除
【補正の内容】
【手続補正４７】
【補正対象書類名】明細書
【補正対象項目名】００９０
【補正方法】削除
【補正の内容】
【手続補正４８】
【補正対象書類名】明細書
【補正対象項目名】００９１
【補正方法】削除
【補正の内容】
【手続補正４９】
【補正対象書類名】明細書
【補正対象項目名】００９２
【補正方法】削除
【補正の内容】
【手続補正５０】
【補正対象書類名】明細書
【補正対象項目名】００９３
【補正方法】削除
【補正の内容】
【手続補正５１】
【補正対象書類名】明細書
【補正対象項目名】００９４
【補正方法】削除
【補正の内容】
【手続補正５２】
【補正対象書類名】明細書
【補正対象項目名】００９５
【補正方法】削除
【補正の内容】
【手続補正５３】
【補正対象書類名】明細書
【補正対象項目名】００９６
【補正方法】削除
【補正の内容】
【手続補正５４】
【補正対象書類名】明細書
【補正対象項目名】００９７
【補正方法】削除
【補正の内容】